(57)【要約】  【課題】弁体の着座を安定させる。【解決手段】弁装置本体１に形成された流路２と、弁座６に接離して前記流路２の一次側  ２ａと二次側２ｂを断続させる弁体５と、該弁体５の弁棒８を回転させて前記弁体５を摺動させるハンドル２２と、を備えた弁装置において；前記弁棒８の外周面には、前記弁装置本体１の支持部のねじ部５２に螺合するねじ部５０が設けられ、前記ねじ部のねじは、鋸歯ねじ、又は、角ねじである。【選択図】  図１
2011058570.tif 000002
【特許請求の範囲】
【請求項１】
弁座に着離する弁体と、該弁体の後端部に連続し、弁体支持部材のねじ穴に螺合するねじ部を有する弁棒と、前記弁棒を回転させて前記弁体を摺動させるハンドルと、を備えたバルブにおいて、
前記ねじ部のねじは、鋸歯ねじ、又は、角ねじであることを特徴とするバルブ。
【請求項２】
ガイド穴に挿入され、弁座に着離する弁体と、前記弁体の後端部にねじ部を介して連結されるとともに、弁体支持部材により回動自在に保持されている弁棒と、前記弁棒を回転させ前記弁体を摺動させるハンドルと、を備えたバルブにおいて；
前記ねじ部のねじは、鋸歯ねじ、又は、角ねじであることを特徴とする弁装置。
【請求項３】
前記弁体の後端部のねじ部は、弁棒連結用ねじ穴に形成された雌ねじであり、前記弁棒のねじ部は、該弁棒の先端部外周面に形成され、前記雌ねじに螺合する雄ねじであることを特徴とする請求項２記載のバルブ。
【請求項４】
前記弁棒連結用ねじ穴は、貫通路を介して弁体の一次側に連通し、前記弁棒の先端部には、前記ねじ穴と背圧室とを連通させる通孔が設けられていることを特徴とする請求項２、又は、３記載のバルブ。
【発明の詳細な説明】
【技術分野】
【０００１】
この発明は、液圧装置、アキュムレータ等に用いられるバルブに関するものである。
【背景技術】
【０００２】
従来のバルブ（弁装置）として、次のものがある。
（１）弁座に着離する弁体と、該弁体の後端部に連続し、弁体支持部材のねじ穴に螺合するねじ部を有する弁棒と、前記弁棒を回転させて前記弁体を摺動させるハンドルと、を備えたバルブ。
（２）ガイド穴(ガイド部材)に挿入され、弁座に着離する弁体と、前記弁体の後端部にねじ部を介して連結されるとともに、弁体支持部材により回動自在に保持されている弁棒と、前記弁棒を回転させ前記弁体を摺動させるハンドルと、を備えたバルブ。
【０００３】
前記両バルブは、いずれもハンドルを所定方向に回転すると、弁棒が回転して弁体が弁座に向かって摺動し、着座する（閉弁状態）。又、前記ハンドルを前記と反対方向に回転すると、弁棒が前記と逆方向に回転して、前記弁体が弁座から離れる方向に摺動し、開弁状態となる。
【発明の概要】
【発明が解決しようとする課題】
【０００４】
従来例では、前記ねじ部のねじとして、メートルねじやユニファイねじ等の三角ねじが用いられているが、この三角ねじは、ねじ山の角度が６０度に形成されている。そのため、弁体が弁座から離れる方向（開弁方向）の力で押されると、該弁体はねじ山の傾斜面に沿って傾斜方向に変位しようとするので、着座が不安定となり、シール漏れが発生しやすい。
【０００５】
この発明は、上記事情に鑑み、弁体の着座を安定させることを目的とする。
【課題を解決するための手段】
【０００６】
この発明は，弁座に着離する弁体と、該弁体の後端部に連続し、弁体支持部材のねじ穴に螺合するねじ部を有する弁棒と、前記弁棒を回転させて前記弁体を摺動させるハンドルと、を備えたバルブにおいて、前記ねじ部のねじは、鋸歯ねじ、又は、角ねじであることを特徴とする。
【０００７】
この発明は、ガイド穴に挿入され、弁座に着離する弁体と、前記弁体の後端部にねじ部を介して連結されるとともに、弁体支持部材により回動自在に保持されている弁棒と、前記弁棒を回転させ前記弁体を摺動させるハンドルと、を備えたバルブにおいて；前記ねじ部のねじは、鋸歯ねじ、又は、角ねじであることを特徴とする。
【０００８】
この発明の前記弁体の後端部のねじ部は、弁棒連結用ねじ穴に形成された雌ねじであり、前記弁棒のねじ部は、該弁棒の先端部外周面に形成された雄ねじであることを特徴とする。この発明の前記弁棒連結用ねじ穴は、貫通路を介して弁体の一次側に連通し、前記弁棒の先端部には、前記ねじ穴と背圧室とを連通させる通孔が設けられていることを特徴とする。
【発明の効果】
【０００９】
この発明は、前記ねじ部のねじは、鋸歯ねじ、又は、角ねじで形成されているので、弁体が開方向の力を受けると、該弁体は軸方向と９０度をなす方向(直交方向)へ変位しようとする。そのため、弁体を押圧する軸方向の力は、均一に維持することができるので、着座が安定し、シール漏れの発生を防止することができる。
【図面の簡単な説明】
【００１０】
【図１】本発明の第１実施形態を示す縦断面図である。
【図２】要部拡大図である。
【図３】本発明の第２実施形態を示す要部拡大図で、図２に対応する図である。
【図４】本発明の第３実施形態を示す縦断面図である。
【発明を実施するための形態】
【００１１】
この発明の第１実施形態を図１、図２により説明する。
弁装置の弁装置本体１には、流路２が設けられ、該流路２には、弁体５が設けられている。前記弁体５は、弁座６に着座したり、離座したりして前記流路の一次側２ａと二次側２ｂとを断続させる。前記一次側流路２ａと二次側流路２ｂとが交差する部分には、前記弁座６が設けられ、該弁座６に着離する弁体５の後端部側は、ガイド穴７に挿入されている。このガイド穴７の後端部は、前記弁体５の弁棒８を保持する弁体支持部材、例えば、保持リング９、により閉鎖されている。
【００１２】
前記弁体５の後端部側には、弁棒連結用ねじ穴１０が設けられ、該ねじ穴１０の内周面には、ねじ部１１が設けられている。このねじ部１１には、のこ歯ねじ(めねじ)１１ａが配設されている。前記ねじ穴１０には、弁棒８が螺着されているが、この弁棒８の外周面には、ねじ部１５が配設されている。前記ねじ部１５には、のこ歯ねじ(おねじ)１５ａが配設されている。前記のこ歯ねじ１５ａは、前記ねじ部１１ののこ歯ねじ１１ａに螺合し、両ねじ１１ａ、１５ａの軸方向に対して直交する面、即ち、水平面１１ｂ、１５ｂ同士が互いに接触している。
【００１３】
前記弁体５の先端部５ａ側、即ち、弁座６側、には前記ねじ穴１０に連通する貫通絽１８が設けられており、又、前記弁棒８の先端部８ａ側、即ち、弁体５側、には前記貫通路１８と連通する通孔２０が設けられている。この通孔２０は、弁体５の後端部５ｂ側の背圧室２１に連通している。
【００１４】
前記弁棒８の後端部８ｂには、ハンドル２２が設けられ、又、前記棒体８の保持突起８ｃは、弁対支持部材である保持リング９と押さえ部材２４により支持されている。前記押さえ部材２４は、ボルト２７により弁装置本体１に固定されている。
なお、図において、２８は廻り止め、２９はドレーン、３０はパッキンなどのシール部材、をそれぞれ示す。
【００１５】
次に、本実施形態の作動について説明する。
一点鎖線の位置にあるハンドル２２を、所定方向に回転させると、弁棒８が回転するので、該弁棒８に螺合している弁体５は、弁座６に向かって摺動する。
【００１６】
そして、ハンドル２２を更に回転させて実線位置すると、弁体５は弁座６に密着(着座)するので、閉弁状態となる。従って、一次側２ａと二次側２ｂは遮断されるので、一次側２ａから二次側２ｂに、流体、例えば、水Ｒ、が流れなくなる。この状態において、弁体５は均等な力で弁座６に圧接されるので、該弁体は安定した着座状態を維持する。
【００１７】
一次２ａの水圧が急激に増加し、弁体５が、弁座６から離れる方向（開弁方向）に押されると、前記ねじ部１１、１５ののこ歯ねじ１１ａ、１５ａは、互いに水平面１１ｂ、１５ｂで当接しているので、軸方向と９０度をなす方向（直交方向）に移動しようとする。そのため、弁体５は上下方向に偏った力を受けないので、安定した着座状態を維持することができる。そのため、シール漏れの発生を防止することができる。
【００１８】
この発明の第２実施形態を図３により説明するが、図１、図２と同一図面符号は、その名称も機能も同一である。
この実施形態と第１実施形態との相違点は、ねじ部のねじが、のこ歯ねじの代わりに、角ねじ１１Ｙ、１５Ｙを用いたことである。この角ねじ１１Ｙ、１５Ｙの軸方向に対して直交する面、即ち、水平面１１ｙ、１５ｙは、互いに当接しているので、前記第１実施形態と同様の作用効果を得ることができる。
【００１９】
この発明の第３実施形態を図４により説明するが、図１〜図３と同一図面符号は、その名称も機能も同一である。
この実施形態では、弁装置本体が弁箱４０であり、流路４１の一次側４１ａと二次側４１ｂとを仕切る隔壁４２には、弁座４３が設けられ、該弁座４３の上方には、弁棒４６を有する弁体４７が配設されている。
【００２０】
前記弁棒４６の後端部４６ａ側には、ねじ部５０が設けられ、該ねじ部５０は、弁体支持部材に設けたねじ穴のねじ部５２に螺着されている。前記ねじ部５０、５２のねじは、のこ歯ねじであるが、角ねじでも良い。前記弁棒４６の後端部４６ａには、ハンドル５５が設けられている。
【００２１】
この実施形態の作動について説明すると、一点鎖線の位置にあるハンドル５５を所定方向に回転させると、ねじ部５２に螺合しているねじ部５０のねじは、回転しながら下方に摺動するので、弁体４７は弁座４３に向かって降下する。    
【００２２】
そして、ハンドル５５が実線で示す位置に到達すると、弁体４７は、弁座４３に圧接(着座)して閉弁状態となる。従って、一次側４１ａと二次側４２ｂは遮断されるので、一次側４１ａから二次側４１ｂに流体Ｒが流れなくなる。この状態において、弁体４７は均等な力で弁座６に圧接するので、弁体４７を安定して着座させることができる。
【００２３】
一次４１ａの水圧が急激に増加し、弁体４７が、弁座４３から離れる方向（開弁方向）に押されると、前記ねじ部５０、５２ののこ歯ねじは、互いに水平面で当接しているので、軸方向と９０度をなす方向（直交方向）に移動しようとする。そのため、弁体４７は上下方向に偏った力を受けないので、安定した着座状態を維持することができる。そのため、シール漏れの発生を防止することができる。
【符号の説明】
【００２４】
１      弁装置本体
２      流路
２ａ    一次側
２ｂ    二次側
５      弁体
５ａ    先端部
５ｂ    後端部
６      弁座  
７      ガイド穴
８      弁棒
８ａ    先端部
８ｂ    後端部
１０    弁棒連結用ねじ穴
１１    ねじ部
１１ａ  のこ歯ねじ
１１ｂ  水平面
１５    ねじ部  
１５ａ  のこ歯ねじ
１５ｂ  水平面
２２    ハンドル
【図１】
2011058570.tif 000003
【図２】
2011058570.tif 000004
【図３】
2011058570.tif 000005
【図４】
2011058570.tif 000006